(57)【要約】  【課題】  カバーの側壁と底壁との境界のコーナー部をアール形状とせず、直線状に傾斜したテーパ部とすることにより側壁を短くしてソリ発生を防止する。  【解決手段】  リレーボックス１０はケース本体１３の下部に取り付けるロアカバー１１を備え、該ロアカバー１１は側壁１１ｂと底壁１１ａが一体成形されたボックス形状の樹脂成形品からなり、側壁１１ｂと底壁１１Ａとの境界のコーナー部はアール形状とせず、直線状に傾斜したテーパ部１１ｃとし、側壁１１ｂのソリ発生を防止できる構成としている。  【選択図】  図２
2005198398.tif 000002
【特許請求の範囲】
【請求項１】
ケース本体の下部に取り付けるロアカバーを備え、該ロアカバーは側壁と底壁が一体成形されたボックス形状の樹脂成形品からなり、側壁と底壁との境界のコーナー部はアール形状とせず、直線状に傾斜したテーパ部とし、上記側壁のソリ発生を防止できる構成としていることを特徴とするリレーボックス。
【請求項２】
上記底壁とテーパ部の交点Ｐ１、側壁とテーパ部の交点Ｐ２、交点Ｐ１を通る垂線とＰ２を通る水平線の交点をＰ３とする三角形において、上記交点Ｐ１の角度を３５°〜５５°としている請求項１に記載のリレーボックス。
【発明の詳細な説明】
【技術分野】
【０００１】
本発明は、リレーボックスに関し、詳しくは、リレーボックスのロアカバーの側壁にソリが発生するのを防止して、ロアカバーの装着作業性及び結合力を高めることを課題としている。
【背景技術】
【０００２】
従来、特開２００３−２１９５３９号において、図３に示すリレーボックス等のケース本体１に被せるカバー２が開示されており、該カバー２は側壁３と底壁４が一体成形されたボックス形状の樹脂成形品からなり、側壁３と底壁４との境界のコーナー部５をアール形状としている。
【０００３】
しかしながら、上記カバー２の側壁３と底壁４との境界のコーナー部５がアール形状であると、図４に示すように、アール部の中心点５ａを支点として側壁３が内方へ屈曲する。アール部は全体が撓みやすいため、側壁３にソリが発生しやすくなり、カバー２の装着作業性及び結合力が低下する問題がある。
【特許文献１】特開２００３−２１９５３９号公報
【発明の開示】
【発明が解決しようとする課題】
【０００４】
本発明は上記問題に鑑みてなされたものであり、カバーの側壁と底壁との境界のコーナー部をアール形状とせず、直線状に傾斜したテーパ部とすることにより側壁のソリ発生を防止することを課題としている。
【課題を解決するための手段】
【０００５】
上記課題を解決するため、本発明は、ケース本体の下部に取り付けるロアカバーを備え、該ロアカバーは側壁と底壁が一体成形されたボックス形状の樹脂成形品からなり、側壁と底壁との境界のコーナー部はアール形状とせず、直線状に傾斜したテーパ部とし、上記側壁のソリ発生を防止できる構成としていることを特徴とするリレーボックスを提供している。
【０００６】
上記構成とすると、カバーの側壁と底壁との境界のコーナー部をアール形状とせず、直線状に傾斜したテーパ部としているため、テーパ部はアール形状に比べて撓みにくく、側壁のソリ発生を防止することができる。これにより、ロアカバーの装着作業性及び結合力を高めることができる。
【０００７】
上記底壁とテーパ部の交点Ｐ１、側壁とテーパ部の交点Ｐ２、交点Ｐ１を通る垂線とＰ２を通る水平線の交点をＰ３とする三角形において、上記交点Ｐ１の角度を３５°〜５５°としていることが好ましい。
【０００８】
上記交点Ｐ１の角度を３５°〜５５°としているのは、交点Ｐ１の角度が３５°より小さいと、側壁の上端からテーパ部との交点までの寸法が短くなり、かつ、テーパ部の寸法が長くなることにより、テーパ部と底壁との交点Ｐ１で撓みが発生し、側壁にソリが発生しやすくなるからである。また、５５°より大きいと、テーパ部と底壁が同一面に近くなり、かつ、側壁が長くなることにより、テーパ部と側壁の交点Ｐ２で撓みが発生し、ソリが発生しやすくなるからである。
【発明の効果】
【０００９】
以上の説明より明らかなように、本発明によれば、カバーの側壁と底壁との境界のコーナー部をアール形状とせず、直線状に傾斜したテーパ部としているため、テーパ部はアール形状に比べて撓みにくく、側壁のソリの発生を防止することができる。これにより、ロアカバーの装着作業性及び結合力を高めることができる。
【発明を実施するための最良の形態】
【００１０】
本発明の実施形態を図面を参照して説明する。
図１及び図２は、本発明の実施形態を示す。
【００１１】
図１は、ロアカバー１１側から見たリレーボックス１０の斜視図である。該リレーボックス１０は、ケース本体１３の下部にロアカバー１１、上部にアッパーカバー１２を取り付けており、ケース本体１３内に収容した複数のリレー（図示せず）に接続する電線ｗ１、ｗ２、ｗ３をロアカバー１１に切り欠いて設けた電線引出口１１ｄから外部に引き出している。
【００１２】
ロアカバー１１は、側壁１１ｂと底壁１１ａが一体成形されたボックス形状の樹脂成型品からなり、側壁１１ｂと底壁１１ａとの境界のコーナー部は、図２（Ｂ）に示すように、直線状に傾斜したテーパ部１１ｃとしている。底壁１１ａとテーパ部１１ｃの交点Ｐ１、側壁１１ｂとテーパ部１１ｃの交点Ｐ２、交点Ｐ１を通る垂線とＰ２を通る水平線の交点をＰ３とする三角形において、交点Ｐ１の角度αを４５°としている。よって、交点Ｐ２の角度も４５°となる。また、側壁１１ｂの先端からＰ２までの寸法Ｈ１を５０ｍｍ、側壁１１ｂの先端から底壁１１ａまでの垂直方向の寸法Ｈ２を６０ｍｍ、底壁１１ａの長手方向の寸法Ｌを９０ｍｍとしている。
【００１３】
また、ロアカバー１１には、側壁１１ｂの先端からコーナー部にかけて切欠を設けて、電線引出口１１ｄとしている。
【００１４】
上記構成とすると、ロアカバー１１の側壁１１ｂと底壁１１ａとの境界のコーナー部をアール形状とせず、直線状に傾斜したテーパ部１１ｃとしているため、テーパ部１１ｃはアール形状に比べて撓みにくく、ソリ発生を防止することができる。これにより、ロアカバーの装着作業性及び結合力を高めることができる。
【００１５】
本実施形態のように、側壁１１ｂの先端からコーナー部にかけて電線引出用の切欠を設けているロアカバー１１では、切欠近傍の側壁が撓みやすくなっているため、上記のようにコーナー部をテーパ部として側壁のソリ発生を防止する構成が特に有効である。
また、上記切欠は側壁先端からコーナー部にかけて設けた場合に限らず、側壁のみに設けた場合にも上記構成は有効である。
【００１６】
本実施形態では、全てのコーナー部をテーパ部としているが長尺なコーナー部のみをテーパ部としてもよい。
また、垂直方向の寸法Ｈ２と底壁の長手方向の寸法Ｌは本実施形態の寸法に限定されず、テーパ部の角度αが所定の範囲内（３５°〜５５°、本実施形態では４５°）であれば、寸法Ｈ２と寸法Ｌは比例して増加してもよい。
【図面の簡単な説明】
【００１７】
【図１】本発明の実施形態のリレーボックスをロアカバー側から見た斜視図である。
【図２】リレーボックスのロアカバーを示し、（Ａ）は底面図、（Ｂ）はＩ−Ｉ線断面図である。
【図３】従来例を示す図面である。
【図４】従来例の問題点を示す図面である。
【符号の説明】
【００１８】
１０  リレーボックス
１１  ロアカバー
１１ａ  底壁
１１ｂ  側壁
１１ｃ  テーパ部
１１ｄ  電線引出口
１１ｅ  アール部
１２  アッパーカバー
１３  ケース本体
Ｐ１  底壁とテーパ部の交点
Ｐ２  側壁とテーパ部の交点
Ｐ３  Ｐ１を通る垂線とＰ２を通る水平線の交点
ｗ１、ｗ２、ｗ３  電線
【図１】
2005198398.tif 000003
【図２】
2005198398.tif 000004
【図３】
2005198398.tif 000005
【図４】
2005198398.tif 000006